(57)【要約】【課題】  三方枠を建築現場で据付ける際、受注時の建築側の仕様寸法と実際の寸法とが若干食い違っていたり、誤差が許容範囲を超えている場合でも容易に対応することができるエレベータの三方枠装置を得る。【解決手段】  エレベータ乗場に設けられ、乗場出入口を形成するものにおいて、前後方向に伸縮可能な複数の上枠パネル１〜３から構成された三方枠の上枠と、前後方向に伸縮可能な複数の左右側枠パネル４〜６から構成された三方枠の左右側枠とを備える。【選択図】    図４
2007039154.tif 000002
【特許請求の範囲】
【請求項１】
エレベータ乗場に設けられ、乗場出入口を形成するエレベータの三方枠装置において、
前後方向に伸縮可能な複数の上枠パネルから構成された三方枠の上枠と、
前後方向に伸縮可能な複数の左右側枠パネルから構成された三方枠の左右側枠と、
を備えたことを特徴とするエレベータの三方枠装置。
【請求項２】
三方枠の上枠は、前部上枠パネルと、後部上枠パネルと、前記前部上枠パネルと前記後
部上枠パネルの間に跨って設けられた中央部上枠基台パネルとから構成され、かつ前記前
部上枠パネルと前記後部上枠パネルは前記中央部上枠基台パネルに対して前後方向に移動
可能に構成されており、
三方枠の左右側枠は、前部左右側枠パネルと、後部左右側枠パネルと、前記前部左右側
枠パネルと前記後部左右側枠パネルの間に跨って設けられた中央部左右側枠基台パネルとから構成され、かつ前記前部左右側枠パネルと前記後部左右側枠パネルは前記中央部左右側枠基台パネルに対して前後方向に移動可能に構成されていることを特徴とする請求項１記載のエレベータの三方枠装置。
【請求項３】
前部上枠パネルと後部上枠パネルには、それぞれＺ字形補強の一端が固定され、前記各
Ｚ字形補強の他端が中央部上枠基台パネルに対し長穴を介して締結されて取り付けられ、
前部左右側枠パネルと後部左右側枠パネルには、それぞれＺ字形補強の一端が固定され、前記Ｚ字形補強の他端が中央部左右側枠基台パネルに対し長穴を介して締結されて取り付けられていることを特徴とする請求項２記載のエレベータの三方枠装置。
【請求項４】
前部上枠パネルと後部上枠パネルとの間に、更に中間部上枠パネルを設け、
前部左右側枠パネルと後部左右側枠パネルとの間に、更に中間部左右側枠パネルを設けたことを特徴とする請求項２又は請求項３記載のエレベータの三方枠装置。
【請求項５】
前部上枠パネルと後部上枠パネルとの間に充填材を埋め込み、
前部左右側枠パネルと後部左右側枠パネルとの間に充填材を埋め込んだことを特徴とする請求項２又は請求項３記載のエレベータの三方枠装置。
【請求項６】
充填材の表面は、前部上枠パネルと後部上枠パネルの表面及び前部左右側枠パネルと後
部左右側枠パネルの表面と面一であることを特徴とする請求項５記載のエレベータの三方
枠装置。
【請求項７】
三方枠の上枠は、中央部上枠基台パネルが建築鉄骨横柱に間隔材を介して接続、固定さ
れ、
三方枠の左右側枠は、中央部左右側枠基台パネルが建築鉄骨縦柱に間隔材を介して接続
、固定されていることを特徴とする請求項２〜請求項６のいずれかに記載のエレベータの
三方枠装置。
【発明の詳細な説明】
【技術分野】
【０００１】
この発明は、エレベータの乗場出入口を構成するエレベータの三方枠装置に関するものである。
【背景技術】
【０００２】
エレベータの乗場に設けられ、乗降口を形成する三方枠装置は、エレベータ受注時の三方枠の奥行寸法や材質、塗装色などの仕様に基づいて三方枠が製作される。ところが、三方枠を建築現場で据付ける時点において、受注時の建築側の仕様寸法と実際の寸法とが若干食い違っていたり、誤差が許容範囲を超えていて三方枠の奥行寸法に変更の必要が発生することが時々ある。
従来のエレベータの三方枠装置においては、三方枠の左右側枠及び上枠がそれぞれ伸縮できない構造、すなわち一定の枠幅寸法のパネルで構成されている（例えば、特許文献１参照）。
このような従来の一般的なエレベータの三方枠装置は、図１０、図１１に示すように構成されている。図において、１０はエレベータの乗場床面、１１は乗場建築壁、１２は従来の一般的な三方枠、１３は乗場の戸、１４は乗場インジケータ、１５は乗場出入口中心線である。例えば、三方枠の左右側枠１２を例にとると、前面部、側面部、及び昇降路側折り返し面を、金属の単板を折り曲げ加工して三方枠の奥行寸法が、エレベータ受注時の仕様に基づいた三方枠寸法Ｗで製作される。
【０００３】
【特許文献１】特開２００３−４０５６７号公報
【発明の開示】
【発明が解決しようとする課題】
【０００４】
従来のエレベータの三方枠装置では、三方枠の左右側枠及び上枠がそれぞれ伸縮できない構造、すなわち一定の枠幅寸法のパネルで構成されているから、以下のような課題があった。建築仕上げ面に建築上の誤差を生じた場合、三方枠が据付けられた時に上枠、左右側枠見付け面と建築仕上げ面に仕様とは異なる段差を生じ、それにより見栄えが悪くなる。これは枠幅寸法が一位に決まるため、建築仕上げ面の誤差を吸収することができないことに起因する。また、階床対応で枠幅寸法が異なる場合、それ対応で設計・製作を行わなければならず、ロット効果が低くなる。また、幅寸法は建築側の仕上げ・構造に依存するため、仕様決定が遅く、製作工期を圧迫する。またそれらに変更が生じて枠幅が軽微に変更になった場合にも、三方枠の左右側枠・上枠は再製作となる。また、枠パネルの一部にダメージが生じた場合、その枠パネル全て再製作となり、リフォームにかかるコスト負担が大きい。また、枠幅寸法が大きい場合、輸送時及び据付け現場でも必要なスペースが多く必要である。
また、図１０、図１１に示すように、三方枠奥行寸法Ｗ（固定寸法）で製作した場合、三方枠を建築現場で据付ける時点において、受注時の建築側の仕様寸法と実際の寸法とが若干食い違っていたり、誤差が許容範囲を超えていて三方枠の奥行寸法に変更が発生した場合に、三方枠側での対応は不可能であった。
【０００５】
この発明は上記のような課題を解決するためになされたもので、三方枠を建築現場で据付ける時点において、受注時の建築側の仕様寸法と実際の寸法とが若干食い違っていたり、誤差が許容範囲を超えている場合にも容易に対応することができるエレベータの三方枠装置を提供するものである。
【課題を解決するための手段】
【０００６】
この発明に係るエレベータの三方枠装置においては、エレベータ乗場に設けられ、乗場
出入口を形成するものにおいて、前後方向に伸縮可能な複数の上枠パネルから構成された
三方枠の上枠と、前後方向に伸縮可能な複数の左右側枠パネルから構成された三方枠の左
右側枠とを備えたものである。
【発明の効果】
【０００７】
この発明によれば、三方枠を建築現場で据付ける際、受注時の建築側の仕様寸法と実際の寸法とが若干食い違っていたり、誤差が許容範囲を超えていた場合でも容易に対応することができるという効果がある。
【発明を実施するための最良の形態】
【０００８】
実施の形態１.
図１はこの発明の実施の形態１におけるエレベータの三方枠装置の右半分を示す正面図、図２は図１の矢視Ａ方向より見た部分平面図、図３は図２のＣ−Ｃ線に沿った断面図、図４は図１の矢視Ｂ方向より見た部分側面図、図５はこの発明の実施の形態１における三方枠の側枠取り付け構造を示す断面図、図６はこの発明の実施の形態１における三方枠取り付け部の建築鉄骨を示す正面図、図７はこの発明の実施の形態１における三方枠を取り付けた状態を示す正面図である。
【０００９】
この発明は、前後方向に伸縮可能な左右側枠及び上枠を備えたことを特徴とするエレベータの三方枠装置である。図において、１は断面Ｕ字状を呈する三方枠の前部上枠パネル、２は断面Ｕ字状を呈する三方枠の後部上枠パネル、３は前部上枠パネル１上と後部上枠パネル２上の間に跨って設けられた断面Ｕ字状を呈する三方枠の中央部上枠基台パネルであり、前部上枠パネル１、後部上枠パネル２及び中央部上枠基台パネル３により三方枠の上枠が構成されている。ここで、乗場床面から前部上枠パネル１の下面及び後部上枠パネル２の下面までが乗場出入口高さ寸法ＨＨとなる。前部上枠パネル１の上面及び後部上枠パネル２の上面には、Ｚ字形の補強１ａ、２ａの下端平坦部がそれぞれ溶接により固定されている。前部上枠パネル１上と後部上枠パネル２上の間に跨って設けられる中央部上枠基台パネル３には、上記Ｚ字形の補強１ａ、２ａの上端平坦部との締結部分に長穴３ａが設けられている。また、上記Ｚ字形の補強１ａ、２ａの上端平坦部の中央部上枠基台パネル３との締結部には、ウエルドナット７ｂが取り付けられており、ボルト７ａにて上記前部上枠パネル１、後部上枠パネル２及び中央部上枠基台パネル３が相互に締め付けられ、また長穴３ａにより枠幅寸法を前後方向に伸縮可能に構成されている。４は断面Ｕ字状を呈する三方枠の前部左右側枠パネル、５は断面Ｕ字状を呈する三方枠の後部左右側枠パネル、６は前部左右側枠パネル４上と後部左右側枠パネル５上の間に跨って設けられた断面Ｕ字状を呈する三方枠の中央部左右側枠基台パネルであり、前部左右側枠パネル４、後部左右側枠パネル５及び中央部左右側枠基台パネル６により三方枠の左右側枠が構成されている。ここで、三方枠の前部左右側枠パネル４の内側面及び後部左右側枠パネル５の内側面の間が乗場出入口幅寸法ＪＪとなる。前部左右側枠パネル４の外側面及び後部左右側枠パネル５の外側面には、Ｚ字形の補強４ａ、５ａの一端平坦部がそれぞれ溶接により固定されている。前部左右側枠パネル４上と後部左右側枠パネル５上の間に跨って設けられる中央部左右側枠基台パネル６には、上記Ｚ字形の補強４ａ、５ａの他端平坦部との締結部分に長穴６ａが設けられている。また、上記Ｚ字形の補強４ａ、５ａの他端平坦部の中央部左右側枠基台パネル６との締結部には、ウエルドナット８ｂが取り付けられており、ボルト８ａにて上記前部左右側枠パネル４、後部左右側枠パネル５及び中央部左右側枠基台パネル６が相互に締め付けられ、また長穴６ａにより枠幅寸法を前後方向に伸縮可能に構成されている。また、上記前部左右側枠パネル４の上端、後部左右側枠パネル５の上端及び中央部左右側枠基台パネル６の上端には、上記前部上枠パネル１、後部上枠パネル２及び中央部上枠基台パネル３と締結するため、Ｌ字形の取り付け金具４ｂ、５ｂ、６ｂがそれぞれ取り付けられている。そして、三方枠組立ては、上枠及び左右側枠締結用ボルト９ａ、ナット９ｂにより締結されるものである。
なお、１０はエレベータの乗場床面、１１は乗場建築壁、１３は乗場の戸、１４は乗場インジケータ、１５は乗場出入口中心線、１６は鉄骨縦柱、１７は鉄骨横柱、１８は鉄骨縦柱１６と中央部左右側枠基台パネル６との間、及び鉄骨横柱１７と中央部上枠基台パネル３との間に設けられた複数個の間隔材である。
【００１０】
このように構成された三方枠装置においては、建築側と三方枠との位置などに誤差が発生した場合でも、図５に示すように、例えば、乗場建築壁１１面を基準として、前部三方枠の前面Ｅまでの寸法「Ｇ」、及び昇降路側に位置する後部三方枠の後端面Ｆまでの寸法「Ｈ」となるように、三方枠の左右側枠を構成する前部左右側枠パネル４及び後部左右側枠パネル５をそれぞれＪ方向、Ｋ方向に移動させることにより、建築側に合わせて三方枠の左右側枠を位置調整することができる。なお、三方枠の上枠についても、同様に建築側に合わせて位置調整をすることができる。
【００１１】
また、三方枠装置の建築鉄骨への取り付けについて、図６、図７により説明する。
先ず、乗場出入口幅寸法ＪＪ、乗場出入口高さ寸法ＨＨに合わせて鉄骨縦柱１６を立設し、左右の鉄骨縦柱１６間に鉄骨横柱１７を架設する。次に、三方枠の前部左右側枠パネル４及び後部左右側枠パネル５の出入口幅寸法ＪＪ、乗場床面１０から前部上枠パネル１及び後部上枠パネル２下面までの出入口高さ寸法ＨＨとなるように、鉄骨縦柱１６に三方枠の左右側枠の基台となる中央部左右側枠基台パネル６を複数個の間隔材１８にて接続、固定するとともに、鉄骨横柱１７に三方枠の上枠の基台となる中央部上枠基台パネル３を複数個の間隔材１８にて接続、固定する。
なお、ここでは、三方枠基台を建築側の鉄骨に取り付ける例を示しているが、コンクリート開口部にアンカーボルトで固定した間隔材を介して三方枠基台を設置する方法の場合にも、同様に適用することができる。
【００１２】
この実施の形態１によれば、三方枠を建築現場で据付ける際、受注時の建築側の仕様寸法と実際の寸法とが若干食い違っていたり、誤差が許容範囲を超えていた場合でも容易に対応することができるという効果がある。
【００１３】
実施の形態２.
図８はこの発明の実施の形態２におけるエレベータの三方枠装置の側枠取り付け構造を示す断面図である。なお、実施の形態１と同一又は相当部分には同一符号を付しているので、説明を省略する。
上記実施の形態１では、三方枠の前部左右側枠パネル４の内側面及び後部左右側枠パネル５の内側面の間が乗場出入口幅寸法ＪＪとなるように、前後２つの左右側枠パネル部材を配設した構成について説明したが、この実施の形態２においては、客先の要求等に応じて、前部左右側枠パネル４と後部左右側枠パネル５との間に、３つ目の断面Ｕ字状を呈する三方枠の中間部左右側枠パネル１９を更に配設したものである。すなわち、前部左右側枠パネル４、後部左右側枠パネル５、中央部左右側枠基台パネル６及び中間部左右側枠パネル１９により三方枠の左右側枠が構成されている。ここで、三方枠の前部左右側枠パネル４の内側面、後部左右側枠パネル５の内側面及び中間部左右側枠パネル１９の内側面の間が乗場出入口幅寸法ＪＪとなる。なお、三方枠の上枠についても、前部上枠パネル１と後部上枠パネル２との間に、３つ目の断面Ｕ字状を呈する三方枠の中間部上枠パネル（図示せず）を更に配設することにより、同様に構成することができる。
【００１４】
実施の形態３.
図９はこの発明の実施の形態３におけるエレベータの三方枠装置の側枠取り付け構造を示す断面図である。なお、実施の形態１と同一又は相当部分には同一符号を付しているので、説明を省略する。
上記実施の形態１では、三方枠の前部左右側枠パネル４の内側面及び後部左右側枠パネル５の内側面の間が乗場出入口幅寸法ＪＪとなるように、前後２つの左右側枠パネル部材を配設した構成について説明したが、この実施の形態３においては、客先の要求等に応じて、前部左右側枠パネル４と後部左右側枠パネル５との間に、例えば樹脂製の充填材２０を埋め込んで、内側面の凸凹を無くし、同一面としたものである。すなわち、前部左右側枠パネル４、後部左右側枠パネル５、中央部左右側枠基台パネル６及び充填材２０により三方枠の左右側枠が構成されている。ここで、三方枠の前部左右側枠パネル４の内側面、後部左右側枠パネル５の内側面及び充填材２０の内側面の間が乗場出入口幅寸法ＪＪとなる。なお、三方枠の上枠についても、前部上枠パネル１と後部上枠パネル２との間に、例えば樹脂製の充填材２０を埋め込んで、内側面の凸凹を無くし、同一面とすることにより、同様に構成することができる。
【００１５】
この実施の形態３によれば、異種材を充填して構成することにより、上記実施の形態１の三方枠装置と異なる意匠を提供することができる。
【図面の簡単な説明】
【００１６】
【図１】この発明の実施の形態１におけるエレベータの三方枠装置の右半分を示す正面図である。
【図２】図１の矢視Ａ方向より見た部分平面図である。
【図３】図２のＣ−Ｃ線に沿った断面図である。
【図４】図１の矢視Ｂ方向より見た部分側面図である。
【図５】この発明の実施の形態１における三方枠の側枠取り付け構造を示す断面図である。
【図６】この発明の実施の形態１における三方枠取り付け部の建築鉄骨を示す正面図である。
【図７】この発明の実施の形態１における三方枠を取り付けた状態を示す正面図である。
【図８】この発明の実施の形態２におけるエレベータの三方枠装置の側枠取り付け構造を示す断面図である。
【図９】この発明の実施の形態３におけるエレベータの三方枠装置の側枠取り付け構造を示す断面図である。
【図１０】従来のエレベータの三方枠装置示す斜視図である。
【図１１】図１０のＤ−Ｄ線に沿った断面図である。
【符号の説明】
【００１７】
１  三方枠の前部上枠パネル
２  三方枠の後部上枠パネル
３  三方枠の中央部上枠基台パネル
３ａ  長穴
４  三方枠の前部左右側枠パネル
５  三方枠の後部左右側枠パネル
６  三方枠の中央部左右側枠基台パネル
１ａ、２ａ、４ａ、５ａ  Ｚ字形補強
４ｂ、５ｂ、６ｂ  Ｌ字形取り付け金具
７ａ、８ａ  ボルト
７ｂ、８ｂ  ウエルドナット
９ａ  ボルト
９ｂ  ナット
１０  エレベータ乗場床面
１１  乗場建築壁
１３  乗場の戸
１４  乗場インジケータ
１５  乗場出入口中心線
１６  鉄骨縦柱
１７  鉄骨横柱
１８  間隔材
１９  三方枠の中間部左右側枠パネル
２０  充填材
【図１】
2007039154.tif 000003
【図２】
2007039154.tif 000004
【図３】
2007039154.tif 000005
【図４】
2007039154.tif 000006
【図５】
2007039154.tif 000007
【図６】
2007039154.tif 000008
【図７】
2007039154.tif 000009
【図８】
2007039154.tif 000010
【図９】
2007039154.tif 000011
【図１０】
2007039154.tif 000012
【図１１】
2007039154.tif 000013